(57)【特許請求の範囲】
【請求項１】
音声データを再生可能な再生装置であって、
前記音声データを再生する再生制御部と、
前記再生装置と接続可能な外部機器と無線通信する通信部と、
前記外部機器ごとに設定された音声データ特性の変更内容を規定する設定情報を記憶する設定情報記憶部と、
前記設定情報を前記設定情報記憶部に記憶する設定制御部と、
を備え、
前記通信部は、接続された前記外部機器から該外部機器に対して固有に付与された識別情報を受信し、
前記再生制御部は、前記接続された外部機器から受信した識別情報に関連付けられた前記設定情報に基づいて、前記外部機器に送信される音声データを変更し、
前記設定情報記憶部は、前記外部機器の種別を示す種別情報を、前記識別情報と関連付けて記憶し、
前記設定制御部は、接続された前記外部機器の設定情報が前記設定情報記憶部に記憶されていない場合に、前記外部機器の同一の前記種別情報を有する他の前記外部機器の設定情報を前記外部機器の設定情報として前記設定情報記憶部に記憶させることを特徴とする、
再生装置。
【請求項２】
前記再生制御部は、前記外部機器の前記種別情報に基づいて、前記音声データの変更の可否を決定することを特徴とする、請求項１に記載の再生装置。
【請求項３】
前記再生制御部は、前記外部機器が車両に搭載される車載機器である場合、前記音声データの特性を変更しないことを特徴とする、請求項２に記載の再生装置。
【請求項４】
前記種別情報に応じた前記設定情報である種別設定情報を記憶する種別情報記憶部をさらに備え、
前記設定制御部は、前記種別設定情報を前記外部機器の設定情報として前記設定情報記憶部に記憶させることを特徴とする、請求項１に記載の再生装置。
【請求項５】
前記種別設定情報は、前記再生装置にネットワークを介して接続される外部サーバから取得されることを特徴とする、請求項４に記載の再生装置。
【請求項６】
前記通信部は、前記外部機器において設定された設定情報を前記外部機器から受信し、
前記設定制御部は、受信した前記設定情報を前記設定情報記憶部に記憶することを特徴とする、請求項１に記載の再生装置。
【請求項７】
音声データを再生可能な再生装置における、音声データ特性の変更内容を規定する設定情報の設定方法であって、
前記音声データを再生する再生制御ステップと、
前記再生装置と接続可能な外部機器と無線通信する通信ステップと、
前記外部機器ごとに設定された音声データ特性の変更内容を規定する設定情報を記憶する設定情報記憶ステップと、
を含み、
前記通信ステップは、接続された前記外部機器から該外部機器に対して固有に付与された識別情報を受信する識別情報受信ステップを含み、
前記再生制御ステップは、前記受信した前記識別情報に関連付けられた前記設定情報に基づいて、前記外部機器に送信される音声データを変更する変更ステップを含み、
前記設定情報記憶ステップは、
前記外部機器の種別を示す種別情報を、前記識別情報と関連付けて記憶する種別情報記憶ステップと、
接続された前記外部機器の設定情報を記憶していない場合に、前記外部機器の同一の前記種別情報を有する他の前記外部機器の設定情報を前記外部機器の設定情報として記憶する設定制御ステップと、
を含むことを特徴とする、設定情報の設定方法。
【請求項８】
コンピュータをして、音声データを再生可能な再生装置として機能させるためのコンピュータプログラムであって、
前記音声データを再生する再生制御手段と、
前記再生装置と接続可能な外部機器と無線通信する通信手段と、
前記外部機器ごとに設定された音声データ特性の変更内容を規定する設定情報を記憶する設定情報記憶手段と、
を備え、
前記通信手段は、接続された前記外部機器から該外部機器に対して固有に付与された識別情報を受信し、
前記再生制御手段は、前記接続された外部機器から受信した識別情報に関連付けられた前記設定情報に基づいて、前記外部機器に送信される音声データを変更し、
前記設定情報記憶手段は、前記外部機器の種別を示す種別情報を、前記識別情報と関連付けて記憶し、接続された前記外部機器の設定情報を記憶していない場合に、前記外部機器の同一の前記種別情報を有する他の前記外部機器の設定情報を前記外部機器の設定情報として記憶することを特徴とする、コンピュータプログラム。
【請求項９】
無線通信可能に接続された、音声データを再生可能な再生装置と、前記再生装置にて再生された前記音声データを出力する外部機器とを備える通信システムであって、
前記再生装置は、
前記音声データを再生する再生制御部と、
前記外部機器と無線通信する通信部と、
前記外部機器ごとに設定された音声データ特性の変更内容を規定する設定情報を記憶する設定情報記憶部と、
前記設定情報を前記設定情報記憶部に記憶する設定制御部と、
を備え、
前記外部機器は、
当該外部機器に対して固有に付与された識別情報を前記再生装置へ送信する送信部と、
前記再生装置から受信した音声データを出力する出力部と、
を備え、
前記再生装置は、
前記通信部において、接続された前記外部機器から前記識別情報を受信し、
前記再生制御部おいて、前記受信した識別情報に関連付けられた前記設定情報に基づいて、前記外部機器に送信される音声データを変更し、
前記設定情報記憶部において、前記外部機器の種別を示す種別情報を、前記識別情報と関連付けて記憶し、
前記設定制御部において、接続された前記外部機器の設定情報が前記設定情報記憶部に記憶されていない場合に、前記外部機器の同一の前記種別情報を有する他の前記外部機器の設定情報を前記外部機器の設定情報として前記設定情報記憶部に記憶させることを特徴とする、通信システム。
【発明の詳細な説明】
【技術分野】
【０００１】
本発明は、再生装置、設定情報の設定方法、コンピュータプログラムおよび通信システムに関する。
【背景技術】
【０００２】
近年、映像データおよび音声データを含む映画やテレビ番組などのコンテンツデータを再生可能な携帯型の再生装置が普及している。このような再生装置により再生されるコンテンツデータの音声データは、再生装置と接続された例えばヘッドホンやスピーカなどから出力される。また、再生装置をスピーカを備える他のオーディオ機器を接続し、再生装置にて再生されたコンテンツデータの音声データを、該オーディオ機器のスピーカから出力することもできる。このように、再生装置において再生されたコンテンツデータは、様々な機器を介して出力される。
【０００３】
音声データを出力する機器にはそれぞれ音響特性があり、同一の音声データであっても出力する機器によってユーザに聴こえる音声に違いが生じる。このため、再生装置は、ユーザが好みに応じて音声を調整することができるように、例えばイコライザやエフェクト等の音声に対する調整を行う音声調整機能を有している。音声の調整は、ユーザによって設定することができるが、スピーカの音響特性データに基づいてそのスピーカに最適な音声が出力されるように音声データを補正する機能を備えたオーディオシステム等もある（例えば、特許文献１、２）。
【０００４】
【特許文献１】実開昭６３−１６９７９３号公報
【特許文献２】実開昭６３−１７１０９１号公報
【発明の開示】
【発明が解決しようとする課題】
【０００５】
しかし、再生装置と接続される機器が複数存在する場合、従来の再生装置では、接続される度に接続先に応じて音声調整を行う必要があった。また、接続先の機器においても音声調整が可能な場合に、再生装置側で更に音声が調整されるとかえって所望の音声から遠ざかることもある。
【０００６】
そこで、本発明は、上記問題に鑑みてなされたものであり、本発明の目的とするところは、接続先に応じて自動的に音声を調整することが可能な、新規かつ改良された再生装置を提供することにある。
【課題を解決するための手段】
【０００７】
上記課題を解決するために、本発明のある観点によれば、音声データを再生可能な再生装置が提供される。かかる再生装置は、音声データを再生する再生制御部と、再生装置と接続可能な外部機器と無線通信する通信部と、外部機器ごとに設定された音声データ特性の変更内容を規定する設定情報を記憶する設定情報記憶部と、を備える。そして、通信部は、接続された外部機器から該外部機器に対して固有に付与された識別情報を受信し、再生制御部は、接続された外部機器から受信した識別情報に関連付けられた設定情報に基づいて、外部機器に送信される音声データを変更することを特徴とする。
【０００８】
本発明によれば、再生装置において再生された音声データを外部機器に送信し、外部機器から出力するときに、自動的に外部機器の特性に応じて音声データを変更することができる。外部機器の特性は外部機器に固有の識別情報から特定することができる。音声データは、識別情報と関連付けられた設定情報に基づいて変更された後、外部機器に送信される。このように、外部機器に固有の識別情報ごとに設定情報を保持して音声データを変更することにより、ユーザ自身は複数の外部機器が存在する場合に都度設定情報を設定し直す必要がなく、各外部機器に適した音声データを外部機器へ送信することができる。
【０００９】
ここで、設定情報記憶部は、外部機器の種別を示す種別情報を、識別情報と関連付けて記憶することができる。識別情報が外部機器を識別するための固有の識別情報であるのに対し、種別情報は外部機器を種別によって分類するための情報である。種別情報を識別情報と関連付けて記憶しておくことにより、種別情報に応じた設定情報の設定も可能となる。
【００１０】
また、再生制御部は、外部機器の種別情報に基づいて、音声データの変更の可否を決定するようにしてもよい。外部機器の種別によっては音声調整機能を備える機器もある。このような場合には、再生装置で音声データの変更を行わない方がよい場合もあるため、設定情報が設定されていたとしても、所定の外部機器については音声データの変更を行わないようにしてもよい。例えば、外部機器が車両に搭載される車載機器である場合、再生制御部は、音声データの特性を変更しないように制御してもよい。
【００１１】
さらに、本発明の再生装置は、設定情報を設定情報記憶部に記憶する設定制御部を備えることもできる。ここで、設定制御部は、接続された外部機器の設定情報が設定情報記憶部に記憶されていない場合に、外部機器の同一の種別情報を有する他の外部機器の設定情報を外部機器の設定情報として設定情報記憶部に記憶させるようにしてもよい。同一種別の外部機器は、同一または類似の設定を行うことが多いと考えられる。したがって、同一の種別情報を有する他の外部機器の設定情報を当該外部機器の設定情報として用いることにより、当該外部機器に適した音声データに変更することが可能となる。
【００１２】
また、再生装置は、種別情報に応じた設定情報である種別設定情報を記憶する種別情報記憶部をさらに備えることもできる。設定制御部は、種別設定情報を外部機器の設定情報として設定情報記憶部に記憶させるようにしてもよい。このように、種別情報ごとの設定情報を保持することにより、種別情報ごとに表示される初期設定表示を変更することができる。
【００１３】
さらに、種別設定情報は、再生装置にネットワークを介して接続される外部サーバから取得することもできる。種別設定情報は、予め再生装置に記憶させておくこともでき、このように外部サーバから取得することも可能である。これにより、新たな外部機器に対しても種別設定情報を取得することができ、外部機器に最も適した設定情報を取得することもできる。
【００１４】
また、通信部は、外部機器において設定された設定情報を外部機器から受信し、設定制御部は、受信した設定情報を設定情報記憶部に記憶することもできる。外部機器は、再生装置との通信において、外部機器において設定された設定情報を再生装置に送信することができる。再生装置は、外部機器から受信した設定情報を識別情報と関連付けて設定情報記憶部にすることにより、当該機器との再接続時において、外部機器において設定された状態で音声データの変更を行うことが可能となる。
【００１５】
また、上記課題を解決するために、本発明の別の観点によれば、音声データを再生可能な再生装置における、音声データ特性の変更内容を規定する設定情報の設定方法が提供される。かかる設定情報の設定方法は、音声データを再生する再生制御ステップと、再生装置と接続可能な外部機器と無線通信する通信ステップと、を含む。ここで、通信ステップは、接続された外部機器から該外部機器に対して固有に付与された識別情報を受信する識別情報受信ステップを含み、再生制御ステップは、受信した識別情報に関連付けられた設定情報に基づいて、外部機器に送信される音声データを変更する変更ステップを含むことを特徴とする。
【００１６】
さらに、上記課題を解決するために、本発明の別の観点によれば、コンピュータをして、音声データを再生可能な再生装置として機能させるためのコンピュータプログラムが提供される。かかるコンピュータプログラムは、音声データを再生する再生制御手段と、再生装置と接続可能な外部機器と無線通信する通信手段と、外部機器ごとに設定された音声データ特性の変更内容を規定する設定情報を記憶する設定情報記憶手段と、を備える。そして、通信手段は、接続された外部機器から該外部機器に対して固有に付与された識別情報を受信し、再生制御手段は、接続された外部機器から受信した識別情報に関連付けられた設定情報に基づいて、外部機器に送信される音声データを変更することを特徴とする。
【００１７】
かかるコンピュータプログラムは、ＣＰＵ、ＲＯＭまたはＲＡＭなどを含むコンピュータのハードウェア資源に、上記のような再生制御手段や通信手段、設定情報記憶手段等の機能を実行させることができる。すなわち、当該プログラムを用いるコンピュータを、上述の再生装置として機能させることができる。
【００１８】
また、上記課題を解決するために、本発明の別の観点によれば、無線通信可能に接続された、音声データを再生可能な再生装置と、再生装置にて再生された音声データを出力する外部機器とを備える通信システムが提供される。かかる通信システムにおいて、再生装置は、音声データを再生する再生制御部と、外部機器と無線通信する通信部と、外部機器ごとに設定された音声データ特性の変更内容を規定する設定情報を記憶する設定情報記憶部と、を備える。また、外部機器は、当該外部機器に対して固有に付与された識別情報を再生装置へ送信する送信部と、再生装置から受信した音声データを出力する出力部と、
を備える。そして、再生装置は、通信部において、接続された外部機器から識別情報を受信し、再生制御部おいて、受信した識別情報に関連付けられた設定情報に基づいて、外部機器に送信される音声データを変更することを特徴とする。
【発明の効果】
【００１９】
以上説明したように本発明によれば、接続先に応じて自動的に音声を調整することが可能な再生装置を提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１の実施形態）
まず、図１に基づいて、本発明の第１の実施形態にかかる再生装置１００を含む音声データの送受信が行われる通信システム１について説明する。なお、図１は、本実施形態にかかる通信システム１の構成を示す説明図である。
【００２２】
本実施形態にかかる通信システム１は、図１に示すように、再生装置１００と、他の外部機器２００とが無線接続されている。再生装置１００は、コンテンツデータを保持し、コンテンツデータを再生可能な装置である。他の外部機器２００は、例えばヘッドホン２００Ａや車載用オーディオシステム２００Ｂ、スピーカ２００Ｃ、ホームオーディオシステム２００Ｄ等であり、コンテンツデータの音声データを出力する出力部を備えている。また、外部機器２００は、再生装置１００へ情報を送受信するための送受信部を備えている。再生装置１００により再生されたコンテンツデータは、無線通信により外部機器２００に送信され、外部機器２００から音声出力される。
【００２３】
本実施形態では、再生装置１００と外部機器２００との無線通信は、例えばＢｌｕｅｔｏｏｔｈ（登録商標）や無線ＬＡＮ（Ｌｏｃａｌ  Ａｒｅａ  Ｎｅｔｗｏｒｋ）等を使用することができる。なお、コンテンツデータは、音楽、講演およびラジオ番組などの音楽データや、映画やテレビジョン番組などの映像データなどであって、少なくとも音声データを含むものであるとする。
【００２４】
次に、図２に基づいて、本実施形態にかかる再生装置１００のハードウェア構成について説明する。なお、図２は、本実施形態にかかる再生装置１００のハードウェア構成を示すブロック図である。
【００２５】
本実施形態にかかる再生装置１００は、図２に示すように、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４ａと、ブリッジ１０４ｂと、外部バス１０４ｃと、インタフェース１０５と、入力手段１０６と、出力手段１０７と、ストレージ（ＨＤＤ）１０８と、通信手段１０９とを備える。
【００２６】
ＣＰＵ１０１は、演算処理装置および制御装置として機能し、各種プログラムに従って再生装置１００内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４ａにより相互に接続されている。
【００２７】
ホストバス１０４ａは、ブリッジ１０４ｂを介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０４ｃに接続されている。なお、必ずしもホストバス１０４ａ、ブリッジ１０４ｂおよび外部バス１０４ｃを分離構成する必要はなく、１つのバスにこれらの機能を実装してもよい。
【００２８】
入力手段１０６は、例えば、ユーザが情報を入力するための指示操作部や、ユーザによる入力に基づいて入力信号を生成し、ＣＰＵ１０１に出力する入力制御回路などから構成されている。指示操作部は、例えば、マウス、キーボード、タッチパネル、ボタン、マイク、スイッチおよびレバーなどを用いることができる。再生装置１００のユーザは、該入力手段１０６を操作することにより、再生装置１００に対して各種のデータを入力したり処理動作を指示したりすることができる。
【００２９】
出力手段１０７は、例えば、表示部や音声出力部などから構成される。表示部は、例えばＣＲＴ（Ｃａｔｈｏｄｅ  Ｒａｙ  Ｔｕｂｅ）ディスプレイ装置、液晶ディスプレイ（ＬＣＤ）装置およびランプなどを用いることができる。また、音声出力部には、スピーカやヘッドホンなどを用いることができる。出力手段１０７は、例えば、音声出力部により、再生された音声データ等を音声に変換して出力する。
【００３０】
ストレージ１０８は、本実施形態にかかる再生装置１００の記憶部の一例として構成されたデータ格納部である。ストレージ１０８は、例えば記憶媒体、記憶媒体にデータを記録する記録部、記憶媒体からデータを読み出す読出し部および記憶媒体に記録されたデータを削除する削除部などを含むことができる。ストレージ１０８は、例えば、ＨＤＤ（Ｈａｒｄ  Ｄｉｓｋ  Ｄｒｉｖｅ）で構成される。ストレージ部１０８は、ハードディスクを駆動し、ＣＰＵ１０１が実行するプログラムや各種データを格納する。また、ストレージ１０８には、コンテンツデータや、コンテンツデータを検索するための検索用エータベースなどが記憶される。なお、当該ストレージ１０８または記憶媒体は、再生装置１００と着脱可能であってもよい。
【００３１】
通信手段１０９は、例えば、外部機器２００と無線通信接続するための通信デバイス等で構成された通信インタフェースである。通信手段１０９は、例えば、Ｂｌｕｅｔｏｏｔｈ（登録商標）や無線ＬＡＮ、ワイヤレスＵＳＢに対応した通信部であってもよく、有線による通信を行う通信部であってもよい。通信手段１０９は、外部機器２００とコンテンツデータを送受信することができ、また、通信網３００を介してネットワークからコンテンツデータを送受信することができる。
【００３２】
以上、本実施形態にかかる再生装置１００のハードウェア構成について説明した。次に、図３に基づいて、本実施形態にかかる再生装置１００の機能構成について説明する。なお、図３は、本実施形態にかかる再生装置１００の機能構成を示す機能ブロック図である。
【００３３】
本実施形態にかかる再生装置１００は、図３に示すように、通信部１１０と、入力部１２０と、再生制御部１３０と、再生処理部１４０と、設定制御部１５０と、表示部１６０と、設定情報記憶部１７０と、種別情報記憶部１８０と、データ記憶部１９０とを備えて構成される。
【００３４】
通信部１１０は、ヘッドホンなどの外部機器２００と通信するためのインタフェースである。通信部１１０は、例えばアンテナ１１２を介して外部機器２００へ再生されたコンテンツデータの音声データを送信する。また、通信部１１０は、外部機器２００にて設定された音声調整に関する設定情報を、アンテナ１１２を介して受信する。なお、再生装置１００と外部機器２００との間における無線通信のための制御信号等の送受信も通信部１１０にて行われる。なお、通信部１１０は、図２における通信手段１０９を機能させるためのソフトウェアであってもよく、該ソフトウェアに基づいて動作する通信手段１０９であってもよい。
【００３５】
入力部１２０は、ユーザからの指示が入力される機能部であって、再生操作部１２２と、設定操作部１２４とからなる。再生操作部１２２は、再生するコンテンツデータを選択して再生指示を入力するための操作部である。再生操作部１２２は、ユーザの操作によって入力された再生指示情報を検出して、後述する再生制御部１３０へ送信する。設定操作部１２４は、コンテンツデータの再生時における音声の調整等の各種設定を行うための操作部である。設定操作部１２４は、ユーザの操作によって入力された設定指示情報を検出して、後述する設定制御部１５０へ送信する。なお、入力部１２０は、図２における入力手段１０６にて機能する。
【００３６】
再生制御部１３０は、コンテンツデータの再生処理を制御する機能部である。再生制御部１３０は、再生操作部１２２から送信された再生指示情報に基づいて、再生するコンテンツデータを後述するデータ記憶部１９０から取得する。また、再生制御部１３０は、後述する設定情報記憶部１７０から接続先の外部機器２００に関する設定情報を取得する。そして、再生制御部１３０は、取得したコンテンツデータの音声データおよび設定情報を後述する再生処理部１４０へ送信する。再生制御部１３０は、データ記憶部１９０に記憶されたコンテンツデータを取得して、コンテンツデータや該コンテンツデータに関する情報を後述する表示部１６０に表示させることもできる。
【００３７】
再生処理部１４０は、音声データを再生するための処理を行う機能部であって、ＰＣＭデコード部１４２と、エフェクト部１４４と、ＳＢＣエンコード部１４６とからなる。ＰＣＭデコード部１４２は、再生制御部１３０から受信したデジタルデータである音声データをデコードする機能部である。デコードされた音声データは、エフェクト部１４４に送信される。エフェクト部１４４は、ＰＣＭデコード部１４２にてデコードされた音声データに対して、設定情報に基づきエフェクトをかける処理を行う機能部である。エフェクト処理された音声データは、ＳＢＣエンコード部１４６に送信される。ＳＢＣエンコード部１４６は、エフェクト処理された音声データをエンコードする機能部である。エンコードされた音声データは、通信部１１０に送信される。
【００３８】
設定制御部１５０は、設定情報の設定に関する処理を制御する機能部である。設定制御部１５０は、設定操作部１２４から送信された設定指示情報に基づいて、後述する設定情報記憶部１７０に設定情報を記憶、更新する。また、設定制御部１５０は、通信部１１０から受信した外部機器２００の設定情報を設定情報記憶部１７０に記憶する。設定制御部１５０は、設定情報記憶部１７０に記憶された設定情報を取得して、後述する表示部１６０に表示させることもできる。
【００３９】
表示部１６０は、コンテンツデータに関する情報や音声調整についての設定情報等を表示する機能部である。表示部１６０は、図２に示す出力手段１０７に備えられ、例えば液晶ディスプレイ等を用いることができる。
【００４０】
設定情報記憶部１７０は、音声調整についての設定情報を記憶する記憶部である。図４に、設定情報記憶部１７０に記憶される情報の一例を示す。設定情報記憶部１７０は、図４に示すように、例えば、デバイス名１７１と、イコライザ設定情報１７２と、サラウンド設定情報１７３と、種別情報１７４とを関連付けて記憶する。
【００４１】
デバイス名１７１は、外部機器２００を一意に特定する識別情報であって、例えばＢｌｕｅｔｏｏｔｈ（登録商標）においてはＢＤアドレス（Ｂｌｕｅｔｏｏｔｈ（登録商標）  Ｄｅｖｉｃｅ  Ａｄｄｒｅｓｓ）を用いることができる。イコライザ設定情報１７２は、外部機器２００のイコライザ設定に関する情報であり、図４に示すように、イコライザをオンにするかオフにするか、また、イコライザをオンにする場合の設定値等の情報を含んでなる。サラウンド設定情報１７３は、外部機器２００に対してサラウンドをオンにするかオフにするかを示す情報である。種別情報１７４は、外部機器２００の種別を示す情報であって、例えばヘッドホンやオーディオシステム、スピーカなどといった区分を示す。
【００４２】
図３に戻り、種別情報記憶部１８０は、種別に応じた設定情報（種別設定情報）を記憶する記憶部である。種別情報記憶部１８０は、例えば、種別ごとに最適なイコライザ設定情報やサラウンド設定情報等を種別情報と関連付けて記憶する。種別情報記憶部１８０に記憶される種別ごとの設定情報は、例えばネットワーク接続されたサーバ（図示せず。）等から取得される。また、データ記憶部１９０は、音声データを含むコンテンツデータを記憶する記憶部である。
【００４３】
なお、設定情報記憶部１７０、種別情報記憶部１８０およびデータ記憶部１９０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスク等のメモリを含んで構成される。
【００４４】
以上、本実施形態にかかる再生装置１００の機能構成について説明した。本実施形態にかかる再生装置１００は、該再生装置１００と無線通信接続される外部機器２００に対して送信される音声データを、接続先である外部機器２００に応じて音声調整して送信することを特徴とする。そこで、まず、図５に基づいて、本実施形態にかかる再生装置１００における音声調整処理について説明する。なお、図５は、本実施形態にかかる再生装置１００での音声調整処理を説明するためのフローチャートである。また、以下の説明においては、音声を調整する機能としてサウンドエフェクトを取り上げ、サウンドエフェクトに関する設定を行う場合について説明する。
【００４５】
本実施形態にかかる再生装置１００は、再生操作部１２２からコンテンツデータの再生指示情報が入力されると、再生指示情報に基づいて再生制御部１３０によりコンテンツデータを取得する。このとき、再生制御部１３０は、設定情報記憶部１７０から接続先である外部機器２００に対する設定情報を取得し、エフェクト設定情報を確認する（Ｓ１１０）。そして、エフェクト設定情報について、まずサウンドエフェクトをオンにするか否かを確認する（Ｓ１２０）。サウンドエフェクトをオンにする設定となっている場合には、設定されたエフェクトで音声データをエンコードする（Ｓ１３０）。一方、サウンドエフェクトをオフにする設定となっている場合には、エフェクトをかけずに音声データをエンコードする（Ｓ１４０）。その後、エンコードされた音声データは、通信部１１０を介して接続先である外部機器２００に送信され、外部機器２００から音声が出力される（Ｓ１５０）。
【００４６】
ここで、設定情報記憶部１７０に記憶されたエフェクト設定情報１７３等の設定情報は、機器ごとに自動的に設定される。本実施形態において、各機器に対する設定情報の設定は、各機器が有する固有の識別情報に基づいて設定される。無線通信機器には、固有の識別情報が付与されている。このため、無線通信機器は、かかる識別情報から機器を一意に特定することができる。識別情報としては、例えば、Ｂｌｕｅｔｏｏｔｈ（登録商標）機器においてはＢＤアドレス、無線ＬＡＮ上の機器においてはＩＰアドレスやＭＡＣアドレス等がある。本実施形態では、このような識別情報を利用して、各機器に対して音声データ特性の変更内容を規定する設定情報を設定することができる。
【００４７】
そこで、図６〜図９に基づいて、本実施形態にかかる再生装置１００における識別情報に基づく各外部機器の設定情報の設定方法について説明する。なお、図６は、本実施形態にかかる再生装置１００における識別情報に基づく各外部機器の設定情報の設定方法の一例を示すフローチャートである。図７は、本実施形態にかかるサウンドエフェクト設定画面操作時におけるエフェクト設定情報の初期状態を決定する処理を示すフローチャートである。図８は、サウンドエフェクト設定画面の画面遷移を説明するための説明図である。図７は、図８における処理により初期表示されるサウンドエフェクト設定画面を説明する説明図である。
【００４８】
まず、図６に基づいて、各外部機器２００に対する設定情報の設定方法の一例を説明する。かかる方法は、再生装置１００と外部機器２００とが接続された際に、接続先である外部機器２００の種別情報に基づいて設定情報を決定するものである。まず、再生装置１００と外部機器２００との接続が確立される（Ｓ２１０）。例えば、再生装置１００および外部機器２００はともにＢｌｕｅｔｏｏｔｈ（登録商標）機器であるとすると、まずペアリングにより機器の特定が行われる。このとき、再生装置１００および外部機器２００は、相手の機器に付与された識別情報を取得する。これにより、再生装置１００は、識別情報から接続先の外部機器２００を一意に特定することが可能となる。
【００４９】
また、このとき、再生装置１００は接続先の外部機器２００の種別を示す種別情報を取得する。種別情報は、上述したように、例えばヘッドホンやオーディオシステム、スピーカなどといった大区分の種別であってもよく、型番やモデル名などの小区分の種別であってもよい。
【００５０】
次いで、再生装置１００は、接続相手のデバイス名を確認する（Ｓ２２０）。デバイス名は、機器を一意に特定することの可能な名称であって、例えばＢＤアドレス等を用いることができる。
【００５１】
さらに、再生装置１００は、接続相手である外部機器２００がエフェクト除外対象であるか否かを確認する（Ｓ２３０）。接続相手の外部機器２００は、例えばヘッドホン等のように自身ではサウンドエフェクト等の音声調整機能を有していないものもあれば、例えばオーディオシステム等のようにそれ自身が音声調整機能を有しているものもある。後者の外部機器２００である場合、すでに外部機器２００側で音声調整がなされていると、再生装置１００側で音声データにエフェクトをかけてしまうことにより外部機器２００から出力される音声が所望の音から変更されてしまうことになる。
【００５２】
このため、ステップＳ２３０では、所定の外部機器２００についてはサウンドエフェクトをかけないようにする処理を行っている。具体的には、サウンドエフェクト処理を行わない外部機器２００の識別情報をエフェクト除外対象として記憶部（図示せず。）に記憶させておき、外部機器２００の設定情報を設定する際にエフェクト除外対象を参照して、当該外部機器２００に対してサウンドエフェクト処理を行ってもよいか否かを確認する。
【００５３】
また、エフェクト除外対象は、外部機器２００の種別情報に基づいて決定してもよい。例えば、一般に自身が音声調整機能を有しているホームオーディオシステムや車載オーディオシステムについては、外部機器２００側で音声調整がなされる可能性が高いため、再生装置１００側では音声データにエフェクトをかけないようにエフェクト除外対象として記憶しておく。この場合、再生装置１００は、接続先の外部機器２００の種別がエフェクト除外対象であるか否かを確認し、当該外部機器２００に対してサウンドエフェクト処理を行ってもよいか否かを確認することになる。
【００５４】
ステップＳ２３０において接続相手がエフェクト除外対象であった場合には、サウンドエフェクトをオフにして処理を終了する。一方、接続相手がエフェクト除外対象でない場合には、接続相手の外部機器２００の設定情報を設定する。本実施形態では、初期設定情報として、当該外部機器２００に対するお勧めの設定情報がある場合には、お勧めの設定情報を当該外部機器２００の設定情報として設定する。このため、再生装置１００は、緒当該外部機器２００に対するお勧めの設定情報の有無を確認する（Ｓ２４０）。
【００５５】
本実施形態では、お勧めの設定情報は、種別情報ごとに設定されており、種別ごとにその機器の特性が考慮された設定情報となっている。お勧めの設定情報は、例えば種別情報記憶部１８０に予め記憶させておくこともでき、外部サーバからネットワークを介してダウンロードにより取得することもできる。お勧めの設定情報を外部サーバから取得可能とすることにより、新たな外部機器２００が接続されたとしても、再生装置１００は、当該新たな外部機器２００に対するお勧めの設定情報を取得することができる。
【００５６】
ステップＳ２４０においてお勧めの設定情報が存在した場合には、接続先である外部機器２００の設定情報として当該お勧めの設定情報を設定する（Ｓ２５０）。一方、お勧めの設定情報が存在しない場合には、接続先である外部機器２００の設定情報を所定の初期値に設定し、処理を終了する。
【００５７】
以上、本実施形態にかかる各外部機器２００に対する設定情報の設定方法の一例について説明した。かかる方法によれば、再生装置１００と外部機器２００とが接続されたときに、ユーザが設定することなく、各外部機器２００に対して最適な設定情報を設定することができる。
【００５８】
また、同様の処理を、ユーザがサウンドエフェクトの設定を行う際に行ってもよい。かかる処理を図７に基づいて説明すると、まず、サウンドエフェクトの設定を行うために、ユーザが設定操作部１２４を操作してエフェクト設定画面を表示させる指示情報を入力する（Ｓ３１０）。この指示情報により、設定制御部１５０は表示部１６０に再生装置１００が認識する外部機器２００を表示させる。例えば、図８に示すようなイコライザ設定画面１６２が表示される。図８では再生装置１００によってデバイスＡ〜Ｄの４つの外部機器２００が認識されている。画面左側のチェックボックスにチェックを入れることにより、音声データに対するサウンドエフェクトをオンにすることができ、チェックボックスのチェックをはずすことにより、サウンドエフェクトをオフにすることができる。
【００５９】
次いで、ユーザが各外部機器２００に対してサウンドエフェクトの詳細設定を行う場合には、イコライザ設定画面１６２に表示された外部機器から詳細設定を行いたい外部機器を選択する。設定操作部１２４によりかかる操作が検知されると、設定制御部１５０は選択された外部機器２００のデバイス名を確認する（Ｓ３２０）。例えばデバイスＢについての詳細設定を行うとする。このとき、デバイスＢについてのデバイス名、あるいはデバイス名を関連付けられた識別情報に基づいて、設定情報記憶部１７０から設定情報を取得する。そして、取得された設定情報のデバイス名または種別情報に基づいて、種別情報記憶部１８０に、当該外部機器に対するお勧めの設定情報があるか否かを確認する（Ｓ３３０）。
【００６０】
種別情報記憶部１８０にお勧めの設定情報がある場合には、設定制御部１５０は、当該お勧めの設定情報を表示部１６０に表示させる（Ｓ３４０）。例えば、デバイスＢに対するお勧めの設定情報が種別情報記憶部１８０に記憶されている場合には、ユーザが設定しなくともお勧めの設定情報がデバイスＢの設定情報として図８のような詳細設定画面１６４に表示されることになる。一方、種別情報記憶部１８０にお勧めの設定情報がない場合には、設定制御部１５０は、所定の初期値を表示部１６０に表示させる（Ｓ３４０）。
【００６１】
以上、ユーザがサウンドエフェクトの設定を行う際に行われる、各外部機器２００に対する設定情報の設定方法の一例について説明した。このとき、ステップＳ３４０にてお勧めの設定情報を詳細設定画面１６４に表示させる際に、図９に示すように、当該外部機器２００の設定情報をお勧めの設定情報に変更するか否かを確認してもよい。この場合、例えば当該外部機器２００に対するお勧めの設定情報を表示部１６０に表示させ、ユーザに対してお勧めの設定情報を利用するか否かを選択させる。お勧めの設定情報を利用することが選択されたときは、お勧めの設定情報を図８右側のような詳細設定画面１６４に表示する。一方、お勧めの設定情報を利用しないことが選択されたときは、例えば所定の初期値を詳細設定画面１６４に表示する。
【００６２】
以上、第１の実施形態にかかる再生装置１００について説明した。本実施形態の再生装置１００では、接続された外部機器２００に固有の識別情報を取得し、当該識別情報と関連付けられた設定情報に基づいて音声データの変更がなされる。このように、再生装置１００は、自動的に設定情報を適用して音声データの変更を行うことができる。また、かかる再生装置１００は、外部機器２００ごとに設定情報を保持しているため、ユーザは再生装置１００と接続させる外部機器２００が変更する度に設定情報を設定し直さなくてもよい。すなわち、複数の外部機器２００を使い分ける場合にも、ユーザが接続毎に設定を切り替える必要がないという利点がある。
【００６３】
（第２の実施形態）
次に、図１０に基づいて、本発明の第２の実施形態にかかる再生装置１００について説明する。本実施形態にかかる再生装置１００の各機能部は、第１の実施形態と同様に構成されている。本実施形態の再生装置１００は、外部機器２００の設定情報を決定する際に他の外部機器２００の設定情報を参照する点で第１の実施形態と相違する。以下では、第１の実施形態との相違点である外部機器２００に対する設定情報の決定処理について説明する。なお、図１０は、本実施形態にかかる再生装置１００における各外部機器の設定情報の設定方法を示すフローチャートである。
【００６４】
本実施形態にかかる各外部機器の設定情報の設定方法では、図１０に示すように、再生装置１００と外部機器２００との接続がなされる（Ｓ３１０）。ステップＳ３１０の処理は、図６に示すステップＳ２１０と同一処理である。このとき、再生装置１００および外部機器２００は、相手の機器に付与された識別情報および種別情報を取得する。
【００６５】
次いで、再生装置１００は、設定情報記憶部１７０を参照して、接続された外部機器２００の設定情報がすでに設定されているか否かを確認する（Ｓ４２０）。ステップＳ４２０にて設定情報がすでに設定されているときには、そのまま処理を終了する。一方、当該外部機器２００の設定情報が未登録であるときには、設定情報記憶部１７０に当該外部機器２００に対する設定情報を新規登録するための処理を行う。
【００６６】
ここで、本実施形態では、すでに設定情報記憶部１７０に記憶されている他の外部機器２００の設定情報を参照する。設定情報が記憶されている他の外部機器２００の中には、当該外部機器２００と同一種別の機器が存在する場合がある。同一種別であれば機器特性が同一または類似するものであると考えられることから、同一種別の機器に対して設定情報が登録されている場合には、その設定情報を当該外部機器の設定情報として登録する。例えば、種別情報がヘッドホンである場合には、種別情報がヘッドホンである他の外部機器２００の設定情報を設定する。また、例えば、種別情報が型番等である場合には、同一のヘッダを有する他の外部機器２００の設定情報を設定する。
【００６７】
すなわち、まず、設定情報記憶部１７０の中に当該外部機器と同一種別の機器についての設定情報が存在するか否かを確認する（Ｓ４３０）。ステップＳ４３０にて同一種別の機器についての設定情報が存在した場合には、かかる設定情報を当該外部機器の設定情報として登録する（Ｓ４４０）。一方、ステップＳ４３０にて同一種別の機器についての設定情報が存在しない場合には、デフォルト値、例えば所定の初期値を、当該外部機器２００の設定情報として登録する（Ｓ４５０）。
【００６８】
以上、第２の実施形態にかかる再生装置１００における各外部機器の設定情報の設定方法について説明した。本実施形態の再生装置１００によれば、同一の種別情報を有する外部機器２００の設定情報を、当該外部機器２００の設定情報として設定する。これにより、ユーザが各外部機器２００に設定情報を設定しなくとも、自動的に最適であると考えられる設定情報を設定することができる。
【００６９】
（第３の実施形態）
次に、図１１に基づいて、本発明の第３の実施形態にかかる再生装置１００について説明する。本実施形態にかかる再生装置１００も第１の実施形態と同様に構成されている。本実施形態の再生装置１００は、再生装置１００と接続された接続先の外部機器２００から送信された設定情報に基づいて、再生装置１００が保持する設定情報を変更する点で第１の実施形態と相違する。以下では、第１の実施形態との相違点である設定情報の決定処理について説明する。なお、図１１は、本実施形態にかかる再生装置１００における各外部機器の設定情報の設定方法を示すフローチャートである。
【００７０】
本実施形態にかかる各外部機器の設定情報の設定方法は、再生装置１００の保持する設定情報を、接続先の外部機器２００から受信した設定変更コマンドに基づいて変更するものである。例えば、接続先の外部機器２００がホームオーディオシステムや車載オーディオシステム等のように一般に自身が音声調整機能を有している場合には、外部機器２００側において音声調整がなされることが多い。このとき、外部機器２００は、再生装置１００に対して、例えばサウンドエフェクトの設定をオンまたはオフにする等の設定変更コマンドを送信する（Ｓ５１０）。
【００７１】
再生装置１００は、外部機器２００から設定変更コマンドを受信する（Ｓ５２０）。そして、設定変更コマンドに基づいて、設定情報記憶部１７０に記憶された当該外部機器２００の設定情報を変更する（Ｓ５３０）。例えば、再生装置１００におけるサウンドエフェクト処理をオフにする場合には、サウンドエフェクトをオフにする指示である設定変更コマンドが外部機器２００から再生装置１００へ送信される。再生装置１００は、設定変更コマンドに基づいて、再生装置１００の設定情報記憶部１７０に記憶された設定情報のエフェクト設定情報１７２をオフに設定する。
【００７２】
その後、再生装置１００は、次に更新があるまで更新後の設定情報を保持する。したがって、再生装置１００と外部機器２００との接続が一旦切断された後、再度接続された際には、最終接続時における設定情報に基づいて音声データのエフェクト処理が行われ、当該外部機器２００に送信される。
【００７３】
以上、第３の実施形態にかかる再生装置１００における各外部機器の設定情報の設定方法について説明した。本実施形態によれば、外部機器２００において設定された設定情報を、再生装置１００に送信し、再生装置１００に保持することができる。これにより、再生装置１００と当該外部機器２００とが再接続されたときに、再生装置１００は最終状態の設定情報に基づいて音声データの変更を行うことができる。
【００７４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７５】
例えば、上記実施形態では、音声調整機能により設定する機能はサウンドエフェクトとしたが、本発明はかかる例に限定されない。例えば、サラウンドや音量について設定してもよい。
【図面の簡単な説明】
【００７６】
【図１】本発明の第１の実施形態にかかるコンテンツ通信システムの構成を示す説明図である。
【図２】同実施形態にかかる再生装置のハードウェア構成を示すブロック図である。
【図３】同実施形態にかかる再生装置の機能構成を示す機能ブロック図である。
【図４】同実施形態にかかる設定情報記憶部に記憶される情報の一例を示す説明図である。
【図５】同実施形態にかかる再生装置での音声調整処理を説明するためのフローチャートである。
【図６】同実施形態にかかる再生装置における識別情報に基づく各外部機器の設定情報の設定方法を示すフローチャートである。
【図７】同実施形態にかかるサウンドエフェクト設定画面操作時におけるエフェクト設定情報の初期状態を決定する処理を示すフローチャートである。
【図８】サウンドエフェクト設定画面の画面遷移を説明するための説明図である。
【図９】図７における処理により初期表示されるサウンドエフェクト設定画面を説明する説明図である。
【図１０】本発明の第２の実施形態にかかる再生装置における各外部機器の設定情報の設定方法を示すフローチャートである。
【図１１】本発明の第３の実施形態にかかる再生装置における各外部機器の設定情報の設定方法を示すフローチャートである。
【符号の説明】
【００７７】
１００    再生装置
１１０    通信部
１２０    入力部
１２２    再生操作部
１２４    設定操作部
１３０    再生制御部
１４０    再生処理部
１５０    設定制御部
１６０    表示部
１７０    設定情報記憶部
１８０    種別情報記憶部
１９０    データ記憶部
２００    外部機器
【図１】
0005034934.tif 000002
【図２】
0005034934.tif 000003
【図３】
0005034934.tif 000004
【図４】
0005034934.tif 000005
【図５】
0005034934.tif 000006
【図６】
0005034934.tif 000007
【図７】
0005034934.tif 000008
【図８】
0005034934.tif 000009
【図９】
0005034934.tif 000010
【図１０】
0005034934.tif 000011
【図１１】
0005034934.tif 000012